(57)【要約】【課題】記録に用いるディスク記録媒体自体の状態や使用環境などによって受ける影響を最小限に抑え、ディスク記録媒体に対して、常時、適正にデータの記録を行うことができるようにする。【解決手段】データメモリ５Ｘをバッファメモリとして用い、ドライブ制御部６や光ディスクドライブ７のマイクロコンピュータの機能によって、記録動作期間と記録停止期間とを交互に設けるデータの間欠記録を行う。データの記録を行わない記録停止期間において、光ディスクドライブ７のマイクロコンピュータにより、記録予定エリアの欠陥検査と記録済みエリアの読取り検査との一方または両方を行い、ディスク上の欠陥を回避し、記録状態を適正に保てるようにする。【選択図】図１
2006139834.tif 000002
【特許請求の範囲】
【請求項１】
入力データを一時記憶するデータメモリと、
前記データメモリに蓄積された入力データをディスク記録媒体に記録するように制御する記録制御手段と、
前記記録制御手段の制御に応じた記録が終了した後、記録に要する入力データが前記データメモリに蓄積されるまでの間において、次に入力データが記録される前記ディスク記録媒体上の記録予定エリアの検査と、直前に入力データを記録した前記ディスク記録媒体上の記録済みエリアの検査との、一方または両方を実行する検査手段と
を備えることを特徴とするディスク記録装置。
【請求項２】
請求項１に記載のディスク記録装置であって、
前記検査手段は、少なくとも前記記録予定エリアの検査のみを、あるいは、前記記録予定エリアの検査を優先して実行するものであり、
前記記録予定エリアの検査によって、前記記録予定エリアに非正常部分を検出した場合に、当該非正常部分を記録に用いないようにする非正常部分処理手段を備えることを特徴とするディスク記録装置。
【請求項３】
請求項１に記載のディスク記録装置であって、
前記検査手段は、少なくとも前記記録済みエリアの検査のみを、あるいは、前記記録済みエリアの検査を優先して実行するものであり、
前記記録済みエリアの検査によって、データが正常に記録されていないことを検出した場合に、記録パラメータの再設定処理と記録パラメータの補正処理との一方または両方を行うエラー処理手段を備えることを特徴とするディスク記録装置。
【請求項４】
請求項１に記載のディスク記録装置であって、
前記データメモリへの入力データの転送レートと前記ディスク記録媒体への入力データの記録レートとの一方または両方が異なる複数の動作モードを備えており、
動作モードの選択入力を受け付ける選択入力受付手段を備え、
前記検査手段は、前記選択入力受付手段を通じて受け付けた前記選択入力に応じた動作モードに応じて、実行する検査を決定することを特徴とするディスク記録装置。
【請求項５】
請求項１に記載のディスク記録装置であって、
実行すべき検査の指示入力を受け付ける指示入力受付手段を備え、
前記検査手段は、前記指示入力受付手段を通じて受け付けた前記指示入力に応じた検査を実行することを特徴とするディスク記録装置。
【請求項６】
請求項１、請求項２、請求項３、請求項４または請求項５に記載のディスク記録装置であって、
被写体の画像を撮像して画像信号として取り込むようにする撮像手段と、音声を集音して音声信号として取り込むようにする集音手段との一方あるいは両方を備え、
前記撮像手段を通じて取り込んだ前記画像信号と、前記集音手段を通じて取り込んだ音声信号との一方あるいは両方を前記入力データとして前記ディスク記録媒体に記録することを特徴とするディスク記録装置。
【請求項７】
入力データを一時記憶するデータメモリを備え、前記データメモリを介してディスク記録媒体に入力データの間欠記録を行うことが可能なディスク記録装置で用いられる記録制御方法であって、
前記データメモリに蓄積された入力データをディスク記録媒体に記録する記録ステップと、
前記記録ステップにおいての前記入力データの記録が終了した後、記録に要する入力データが前記データメモリに蓄積されるまでの間において、次に入力データを記録する前記ディスク記録媒体上の記録予定エリアの検査と、直前に所定量分の入力データを記録した前記ディスク記録媒体上の記録済みエリアの検査との、一方または両方を実行する検査ステップと
を有することを特徴とする記録制御方法。
【請求項８】
請求項７に記載の記録制御方法であって、
前記検査ステップにおいては、少なくとも前記記録予定エリアの検査のみを、あるいは、前記記録予定エリアの検査を優先して実行するようにしており、
前記検査ステップにおいて、前記記録予定エリアに非正常部分を検出した場合に、当該非正常部分を記録に用いないようにする非正常部分処理ステップを有することを特徴とする記録制御方法。
【請求項９】
請求項７に記載の記録制御方法であって、
前記検査ステップにおいては、少なくとも前記記録済みエリアの検査のみを、あるいは、前記記録済みエリアの検査を優先して実行するようにしており、
前記検査ステップにおいて、データが正常に記録されていないことを検出した場合に、記録パラメータの再設定処理と記録パラメータの補正処理との一方または両方を行うエラー処理ステップを有することを特徴とする記録制御方法。
【請求項１０】
請求項７に記載の記録制御方法であって、
当該ディスク記録装置は、前記データメモリへの入力データの転送レートと前記ディスク記録媒体への入力データの記録レートとの一方または両方が異なる複数の動作モードを備えており、
動作モードの選択入力を受け付ける選択入力受付ステップを有し、
前記検査ステップにおいては、前記選択入力受付ステップにおいて受け付けた前記選択入力に応じた動作モードに応じて実行する検査を決定することを特徴とする記録制御方法。
【請求項１１】
請求項７に記載の記録制御方法であって、
実行すべき検査の指示入力を受け付ける指示入力受付ステップを有し、
前記検査ステップにおいては、前記指示入力受付ステップにおいて受け付けた前記指示入力に応じた検査を実行することを特徴とする記録制御方法。
【請求項１２】
請求項７、請求項８、請求項９、請求項１０または請求項１１に記載の記録制御方法であって、
被写体の画像を撮像して画像信号として取り込むようにする撮像ステップと
音声を集音して音声信号として取り込むようにする集音ステップと
の一方あるいは両方を有し、
前記撮像ステップを通じて取り込んだ前記画像信号と、前記集音ステップを通じて取り込んだ音声信号との一方あるいは両方を前記入力データとして処理することを特徴とする記録制御方法。
【発明の詳細な説明】
【技術分野】
【０００１】
この発明は、例えば、ＤＶＤ（Digital Versatile Disc）やＣＤ（Compact Disc）などの光ディスクや、ＭＤ（Mini Disc：登録商標）などの光磁気ディスク、ハードディスクなどの磁気ディスクなどのディスク記録媒体にデータを記録する装置および方法に関する。
【背景技術】
【０００２】
例えば、ＤＶＤ、ＣＤ、ＭＤ、ハードディスクなど種々のディスク記録媒体を用いる記録再生装置が提供されるようになってきている。これらのディスク記録媒体は、大容量で、データの書き込みや読み出しを高速に行うことができるなどの特徴を持っている。そして、一般にディスク記録媒体を用いた記録再生装置においては、ディスク記録媒体にデータの記録を行うディスクドライブ（記録装置部）に送られるデータの転送レート（転送速度）よりも、データをディスク記録媒体に記録する場合のデータの書き込みレート（記録速度）を速くすることができるので、これを利用し、消費電力の低減を図るようにする間欠記録方式が用いられる場合が多い。
【０００３】
この間欠記録方式は、記録時において、ＡＶストリームなどのデータをライトバッファ（書き込みバッファ）に貯め、その間にディスク記録媒体のドライブ回転を止めることによりディスクドライブを休止状態とし、ライトバッファに十分にデータが蓄積された後にディスクドライブを再起動し、その蓄積したデータをディスクドライブに転送してディスク記録媒体に書き込むというものである。このようにして、ディスクドライブを休止状態とする期間を設けることによって、消費電力の低減を図っている。
【０００４】
そして、後に記す特許文献１には、上述の間欠記録方式を用いる記録装置において、バッファメモリに蓄積されるデータ量に基づいて、ドライブへの電源供給のオン／オフを制御するようにする技術が開示されている。この特許文献１に記載の技術を用いることにより、間欠記録方式を用いる場合に、無駄な動作を省略し、消費電力の更なる省略化を実現することができるようにされる。
【特許文献１】特開平１１−２５９９７９号公報
【発明の開示】
【発明が解決しようとする課題】
【０００５】
ところで、上述もしたように、ディスク記録媒体には種々のものがあり、これら種々のディスク記録媒体は、各国の多数のメーカーによって製造され、世界中に豊富に提供されるようになってきている。その一方で、ディスク記録媒体の品質は、メーカーなどによってばらつきがあり、ディスク記録媒体の記録面に傷や凹凸が多く適正に記録できなかったり、あるいは、記録はできたが、ディスク記録媒体のスキュー（傾き）が大きかったりするために正常に再生できなかったりするなどの不都合が生じる場合があると考えられる。また、ディスク記録媒体を持ち運ぶことによって、ディスク記録媒体の記録面に傷や汚れが付着し、記録や再生に支障を生じさせる場合もあると考えられる。
【０００６】
また、ディスク記録媒体を用いた記録再生装置は、従来、部屋の中で用いられるＤＶＤプレーヤやハードディスクレコーダ等のいわゆる据え置き型のものが多かった。しかし、最近では、例えば、直径８センチのＤＶＤを記録媒体として用いるビデオカメラなども提供されるようになってきている。そして、ビデオカメラのように持ち運ばれて利用される記録再生装置である場合、過酷な環境で使用される場合があると考えられる。例えば、真夏の炎天下において使用される場合や、真冬のスキー場などの寒冷地で使用される場合などである。
【０００７】
このような過酷な環境下においては、稀にではあるが、記録再生装置に影響を及ぼし、ディスク記録媒体に照射するレーザ光のパワーが変動するなどして、適正にデータの記録を行うことができなくなる状態が発生することが懸念される。このような場合、高品質のＤＶＤを用いている場合であっても、正常に記録ができなくなったり、記録はできたのに、正常な再生ができなかったりするなどの不都合が生じる可能性が全くないとはいえない。
【０００８】
しかし、ディスク記録媒体を用いる記録再生装置がビデオカメラである場合、その時点における瞬間の画像や音声をディスク記録媒体に記録するものであり、撮り直しができない場合が多々ある。このような場合、ディスク記録媒体の品質や使用環境の影響を受けて、正常な記録ができなかったり、記録はできても再生ができなかったりすることは、ビデオカメラのユーザーにとっては絶対に避けたいことである。このことは、バッテリが十分にある場合などにおいては、消費電力の省力化にも優先すると考えられる。
【０００９】
以上のことに鑑み、この発明は、記録に用いるディスク記録媒体自体の状態や使用環境などによって受ける影響を最小限に抑え、ディスク記録媒体に対して、常時、適正にデータの記録を行うことができる信頼性の高い装置、方法を提供することを目的とする。
【課題を解決するための手段】
【００１０】
上記課題を解決するため、請求項１に記載の発明のディスク記録装置は、
入力データを一時記憶するデータメモリと、
前記データメモリに蓄積された入力データをディスク記録媒体に記録するように制御する記録制御手段と、
前記記録制御手段の制御に応じた記録が終了した後、記録に要する入力データが前記データメモリに蓄積されるまでの間において、次に入力データが記録される前記ディスク記録媒体上の記録予定エリアの検査と、直前に入力データを記録した前記ディスク記録媒体上の記録済みエリアの検査との、一方または両方を実行する検査手段と
を備えることを特徴とする。
【００１１】
この請求項１に記載の発明のディスク記録装置によれば、当該ディスク記録装置は、データメモリをいわゆるバッファメモリとして用い、記録制御手段の機能によって、データの記録動作期間とデータの記録停止期間とを交互に設けるようにして、データの記録を間欠的に行う間欠記録を行うものである。そして、データの記録停止期間において、検査手段により、記録予定エリアについての検査と記録済みエリアについての検査との一方または両方を行うことができるようにされる。
【００１２】
これにより、記録予定エリアに例えば欠陥が存在している場合や記録済みエリアからデータを適正に読取ることができない場合を、最適なタイミングで検知することができるようにされ、これに対する方策を講じることができるようにされる。そして、常時、適正にデータの記録を行うようにすることができる信頼性の高いディスク記録装置を実現することができるようにされる。
【００１３】
また、請求項２に記載の発明のディスク記録装置は、請求項１に記載のディスク記録装置であって、
前記検査手段は、少なくとも前記記録予定エリアの検査のみを、あるいは、前記記録予定エリアの検査を優先して実行するものであり、
前記記録予定エリアの検査によって、前記記録予定エリアに非正常部分を検出した場合に、当該非正常部分を記録に用いないようにする非正常部分処理手段を備えることを特徴とする。
【００１４】
この請求項２に記載の発明のディスク記録装置によれば、検査手段によって、記録予定エリアの検査のみが行うようにされるか、あるいは、記録予定エリアの検査が記録済みエリアの検査に優先して行うようにされる。そして、記録予定エリアに傷や汚れなどの非正常部分が発見された場合には、非正常部分処理手段によって、その非正常部分を記録に用いないようにするなどの処理が行うようにされる。
【００１５】
これにより、記録予定エリアに存在する傷や汚れなどがある非正常部分が検出された場合に、その非正常部分を使用しないようにすることができるので、ディスク記録媒体の品質に起因する不都合や記録面に傷や汚れが付着しているなどのディスク記録媒体自体に発生している不都合をデータの記録に先立って検出し、これを回避することができるようにされる。したがって、ディスク記録媒体の品質などの影響を受けずに、常時、適正にデータの記録を行うようにすることができる信頼性の高い装置を実現することができるようにされる。
【００１６】
また、請求項３に記載の発明のディスク記録装置は、  請求項１に記載のディスク記録装置であって、
前記検査手段は、少なくとも前記記録済みエリアの検査のみを、あるいは、前記記録済みエリアの検査を優先して実行するものであり、
前記記録済みエリアの検査によって、データが正常に記録されていないことを検出した場合に、記録パラメータの再設定処理と記録パラメータの補正処理との一方または両方を行うエラー処理手段を備えることを特徴とする。
【００１７】
この請求項３に記載の発明のディスク記録装置によれば、検査手段によって、記録済みエリアの検査のみが行うようにされ、あるいは、記録済みエリアの検査が記録予定エリアの検査に優先して行うようにされる。そして、例えば、記録済みエリアに記録されているデータを読取るようにした場合に、エラー率が高いなどの異常が検出された場合には、パワーキャリブレーションを行って、記録パワーの値などの種々の記録パラメータを設定し直すようにしたり（記録パラメータの再設定処理をしたり）、各種の記録パラメータやスキュー角の値などを補正するようにして、適正にデータの読取りが可能なようにデータの記録を行うことができるようにされる。
【００１８】
これにより、例えば、ＤＶＤの状態や過酷な使用環境の影響を受けて、データの正常な記録ができなくなっているような場合に、これを確実かつ迅速に検出し、これを回避することが出来るようにされる。すなわち、データの読み出しを適正に行うことができるようにして、データを記録することができるようにされる。したがって、ディスク記録媒体の状態や使用環境などの影響を受けずに、常時、適正にデータの記録を行うようにすることができる信頼性の高い装置を実現することができるようにされる。
【００１９】
また、請求項４に記載の発明のディスク記録装置は、請求項１に記載のディスク記録装置であって、
前記データメモリへの入力データの転送レートと前記ディスク記録媒体への入力データの記録レートとの一方または両方が異なる複数の動作モードを備えており、
動作モードの選択入力を受け付ける選択入力受付手段を備え、
前記検査手段は、前記選択入力受付手段を通じて受け付けた前記選択入力に応じた動作モードに応じて、実行する検査を決定することを特徴とする。
【００２０】
この請求項４に記載の発明のディスク記録装置によれば、例えば、転送レートの低いスタンダードモードと、転送レートの高いハイクォリティモードとを選択することができるようにされ、選択入力受付手段を通じてユーザーから受け付ける選択入力に応じて切り換えることができるようにされている。
【００２１】
このような場合に、例えば、スタンダードモードが選択された場合には、転送レートが低いためにデータメモリにデータが蓄積されるまでにかかる時間が長くなるので、記録予定エリアの検査と記録済みエリアの検査との両方を行うようにし、ハイクォリティモードの時には、記録予定エリアの検査と記録済みエリアの検査との内のいずれか一方のみを行うように、検査手段によって自動的に決定することができるようにされる。
【００２２】
これにより、記録モードに応じて、記録処理には影響を及ぼすことがないようにして、記録予定エリアや記録済みエリアについての検査を行うことができるようにされる。しかも、ユーザーの手を煩わせることもない。すなわち、用いられる記録モードに応じた検査が確実に行われ、常時、適正にデータの記録を行うようにすることができる信頼性の高いディスク記録装置を実現することができる。
【００２３】
また、請求項５に記載の発明のディスク記録装置は、請求項１に記載のディスク記録装置であって、
実行すべき検査の指示入力を受け付ける指示入力受付手段を備え、
前記検査手段は、前記指示入力受付手段を通じて受け付けた前記指示入力に応じた検査を実行することを特徴とする。
【００２４】
この請求項５に記載の発明のディスク記録装置によれば、指示入力受付手段を介して、検査手段において行う検査についての指示入力が受け付けられる。この受け付けられた指示入力に応じた検査が検査手段によって実行するようにされる。これによって、ユーザーは、必要に応じて、記録予定エリアの検査だけを行うようにしたり、あるいは、記録済みエリアの検査だけを行うようにしたり、あるいは、その両方を行うようにしたりすることができるようにされる。
【００２５】
例えば、一般的な使用環境において撮影を行う場合には、記録予定エリアの検査だけを行うようにし、使用環境は非常に悪いが、高品質で、信頼性の高いディスク記録媒体を用いている場合には、記録済みエリアの検査だけを行うようにし、使用するディスク記録媒体の品質状態も不明で、使用環境も悪い場合には、記録予定エリアの検査と記録済みエリアの検査との両方を行うようにするなど、ディスク記録装置の使用者であるユーザーの判断によって、行う検査を指示することができるようにされる。
【００２６】
したがって、必要な検査をユーザーが指定して行うようにすることができるので、常時、適正にデータの記録を行うようにすることができる信頼性の高いディスク記録装置を実現することができる。
【００２７】
また、請求項６に記載の発明のディスク記録装置は、請求項１、請求項２、請求項３、請求項４または請求項５に記載のディスク記録装置であって、
被写体の画像を撮像して画像信号として取り込むようにする撮像手段と、音声を集音して音声信号として取り込むようにする集音手段との一方あるいは両方を備え、
前記撮像手段を通じて取り込んだ前記画像信号と、前記集音手段を通じて取り込んだ音声信号との一方あるいは両方を前記入力データとして前記ディスク記録媒体に記録することを特徴とする。
【００２８】
この請求項６に記載の発明のディスク記録装置によれば、当該ディスク記録装置は、撮像手段や集音手段を備えることによって、映像データの記録装置、音声データの記録装置、あるいは、ビデオカメラ装置等として用いることができるように構成される。そして、記録時において、間欠記録を行うが、記録停止期間において、用いるディスク記録媒体についての検査を行い、データを適正に記録することができるようにされる。
【００２９】
これにより、各時点においての情報を漏らすことなく適切に記録することができるようにされる。したがって、常時、適正にデータの記録を行うようにすることができる信頼性の高いディスク記録装置を実現することができるようにされる。
【発明の効果】
【００３０】
この発明によれば、品質や付着した傷や汚れなどのディスク記録媒体自体に起因する影響やスキューなどのディスクの状態や使用環境などの影響を受けることなく、常時、ディスク記録媒体に対して適正に読取りが可能なように、データの記録を行うことが可能な信頼性の高い装置を実現することができる。
【発明を実施するための最良の形態】
【００３１】
以下、図を参照しながら、この発明による装置、方法の一実施の形態について説明する。以下に説明する実施の形態においては、直径８センチの小型の記録可能なＤＶＤを記録媒体として用いるビデオカメラに、この発明による装置、方法を適用した場合を例にして説明する。すなわち、以下に説明する実施の形態のビデオカメラは、画像を撮影するとともに、音声を集音し、これらをＤＶＤに記録することができるとともに、ＤＶＤに記録した画像データと音声データとを読み出して再生することができる記録再生装置としての機能を有するものである。
【００３２】
［ビデオカメラの概要］
図１は、この実施の形態のビデオカメラを説明するためのブロック図である。図１に示すように、この実施の形態のビデオカメラは、情報の入力端として、カメラ部１とマイクロホン２とを備えている。カメラ部１は、フォーカス機構、シャッター機構、絞り機構などを備えた光学ブロック１１やＣＣＤ（Charge Coupled Device）などからなる撮像素子１２を備えたものである。また、この実施の形態のビデオカメラは、情報の出力端として、スピーカ８と表示部９とを備えている。表示部９は、例えば、表示素子としてＬＣＤ（Liquid Crystal Display）９１と、ＬＣＤコントローラ（図１においてはＣＴＬと記載）９２とを備えたものである。
【００３３】
また、図１に示すように、この実施の形態のビデオカメラは、ビデオ／オーディオインターフェース（以下、ビデオ／オーディオＩ／Ｆという。）３、スクリーンメモリ３Ｘ、エンコード／デコード部４、エンコード／デコードメモリ（図１においては、Ｅｎｃ／Ｄｅｃメモリと記載。）４Ｘ、データ制御部５、データメモリ５Ｘ、ドライブ制御部６、光ディスクドライブ７、制御部１００、ユーザーインターフェース部（以下、ユーザーＩ／Ｆ部という。）１１０を備えている。
【００３４】
制御部１００は、この実施の形態のビデオカメラの各部を制御するものであり、図１に示したように、ＣＰＵ（Central Processing Unit）１０１と、プログラムメモリ１０２、ワークメモリ１０３、不揮発性メモリ１０４がシステムコントロールバス１０５を通じて接続されて構成されたマイクロコンピュータである。なお、この実施の形態において、プログラムメモリ１０２は、フラッシュＲＯＭ（Flash Read Only Memory）であり、ワークメモリ１０３は、ＲＡＭ（Random Access Memory）である。また、不揮発性メモリ１０４は、例えば、ＥＥＰＲＯＭ（Electrically Erasable and Programmable ROM）やフラッシュＲＯＭなどである。
【００３５】
ここで、プログラムメモリ１０２は、ＣＰＵ１０１において実行されるプログラムや処理に必要になる種々のデータを記録保持するものである。このプログラムメモリ１０２には、ファイルシステムが搭載されている。ワークメモリ１０３は、各種の処理において、途中結果などを一時記憶する場合などに用いられるものである。また、不揮発性メモリ１０４は、ユーザーによって設定するようにされた各種のパラメータなど、この実施の形態のビデオカメラの電源が落とされても記憶しておくべき情報を記憶保持するものである。
【００３６】
また、ユーザーＩ／Ｆ部１１０は、複数のキー入力釦や複数の操作スイッチを備え、ユーザーからの操作入力を受け付ける操作部１１１と、点灯、消灯、点滅によって、動作状態などをユーザーに通知するための複数のＬＥＤ（Light Emitting Diode）１１２を備えたものである。この他にも、図１には図示しなかったが、ブザーやリンガなど、音によって動作状態などを通知する音響素子を備えるようにすることもできる。
【００３７】
そして、光ディスクドライブ７には、８センチＤＶＤ（以下単にＤＶＤという。）を、光ディスクドライブ７に装填したり、取り出したりするための装填口が設けられており、装填口の蓋を開けることによって、ＤＶＤを装填したり、装填されているＤＶＤを取り出したりすることができるようにされる。
【００３８】
なお、表示部９のＬＣＤの表示画面に、ユーザーに情報を通知するための例えばアイコン（図柄や絵文字）や文字、図形、記号などの表示情報を表示するための演算処理などを行うために、図１において点線で示したように、ビデオ／オーディオＩ／Ｆにスクリーンメモリ３Ｘを接続する場合もある。
【００３９】
［記録処理時の基本動作について］
そして、光ディスクドライブ７に記録用ＤＶＤが装填された後、操作部１１１を通じて、撮影を行うようにする操作を受け付けると、この実施の形態のビデオカメラの制御部１００は、各部を制御し、カメラ部１を通じて画像の撮像を開始するとともに、マイクロホン２を通じて音声の集音を開始するようにする。
【００４０】
この場合、光学ブロック１１を通じて取り込まれた被写体の画像は、撮像素子１２において電気信号に変換され、ビデオ／オーディオＩ／Ｆ３に供給される。同様に、マイクロホン２によって集音された音声は電気信号に変換されて、ビデオ／オーディオＩ／Ｆ３に供給される。
【００４１】
ビデオ／オーディオＩ／Ｆ３は、カメラ部１からの画像信号を、デジタル信号に変換するなどして、このビデオカメラにおいて処理可能な形式の画像データに変換し、これをエンコード／デコード部４に供給する。同様に、ビデオス／オーディオＩ／Ｆ３は、マイクロホン２からの音声信号をデジタル信号に変換するなどして、このビデオカメラにおいて処理可能な形式の音声データに変換し、これをエンコード／デコード部４に供給する。
【００４２】
エンコード／デコード部４は、Ｅｎｃ／Ｄｅｃメモリ４Ｘを、動画像データのフレームまたはフィールド間の差分演算用の記憶部として使用するなど作業用メモリ（ワークメモリ）として用いて、画像データや音声データの圧縮処理（エンコード処理）や圧縮処理された画像データや音声データの伸張処理を行う。すなわち、エンコード／デコード部４は、いわゆるコーデックとしての機能を有するものである。
【００４３】
そして、エンコード／デコード部４は、ビデオ／オーディオＩ／Ｆ３から供給される画像データと音声データとを所定のデータ圧縮方式に従って、データ圧縮するとともに、圧縮後のビデオデータと圧縮後の音声データとを多重化することによって、記録用のトランスポートストリーム（以下、ＴＳデータという。）を形成し、これをデータ制御部５に供給する。
【００４４】
なお、エンコード／デコード部４において用いられるデータ圧縮方式には、ＭＰＥＧ（Moving Picture Experts Group）１、ＭＰＥＧ２、ＭＰＥＧ３、ＭＰＥＧ４、その他種々のものがある。したがって、動画像や静止画像の圧縮方式として、将来、新たに提供されるデータ圧縮方式に対応することも可能である。
【００４５】
データ制御部５は、エンコード／デコード部４とドライブ制御部６との間にあって、データメモリ５Ｘをバッファメモリとして用い、エンコード／デコード分４からのデータについて、ファースト・イン・ファースト・アウト（Fast In Fast Out）方式のバッファ動作を行うものである。すなわち、記録時において、データ制御部５は、エンコード／デコード部４におけるデータ圧縮処理にかかる時間に応じた転送レートでエンコード／デコード部４からのデータをデータメモリ５Ｘに書き込むとともに、データメモリ５Ｘに予め決められた一定量のデータが蓄積されたときに、ＤＶＤへのデータの書き込みレートでデータメモリ５Ｘからデータを読み出し、これをドライブ制御部６に供給する。
【００４６】
一般に、データメモリ５Ｘへのデータの転送レート（データメモリ５Ｘへのデータの書き込みレート）は、ＤＶＤへのデータの書き込みレート（データメモリ５Ｘから読み出したデータのＤＶＤへの書き込みレート）よりも遅いので、後述もするように、データメモリ５Ｘに所定量分のデータが蓄積されたときに、当該所定量分のデータのＤＶＤへの記録を行うが、当該所定量分のデータのＤＶＤへの記録終了後、データメモリ５Ｘに所定量分のデータが蓄積されるまでの間において、ＤＶＤへのデータの記録動作を停止させるようにする間欠記録を行う。
【００４７】
記録時において、ドライブ制御部６は、データ制御部５を介してデータメモリ５Ｘとのハンドシェイク（装置部間の取り決めに従った装置間相互の確認処理）を行うとともに、光ディスクドライブ７とはＡＴＡ／ＡＴＡＰＩ（AT Attachment/AT Attachment Packet Interface）プロトコル標準に沿った非連続なハンドシェイクプロトコル処理を行って、データメモリ５Ｘに書き込まれている所定量分のデータを光ディスクドライブ７に転送する。
【００４８】
光ディスクドライブ７は、後述もするように、マイクロコンピュータを備え、ドライブ制御部６との間でハンドシェイクを行い、ドライブ制御部６から転送されてくる所定量分のデータを、装填されているＤＶＤに記録するとともに、所定量分のデータのＤＶＤへの記録を終了した後においては、次に所定量分のデータが転送されてくるまで記録停止状態となるようにしている。
【００４９】
このようにして、カメラ部１を通じて撮像された画像の画像データと、マイクロホン２で集音された音声の音声データとが、所定の圧縮方式でデータ圧縮された後、データメモリ５Ｘをバッファメモリとして用いるデータ制御部５、ドライブ制御部６、光ディスクドライブ７の機能による間欠記録方式で、光ディスクドライブ７に装填されたＤＶＤに記録される。
【００５０】
なお、この実施の形態のビデオカメラにおいては、上述したように、記録処理時においては間欠記録を行う。そして、撮影を完了する操作がされた場合には、制御部１００はドライブ制御部６に対して入力データが終端である旨を示す制御信号を供給する。この場合、ドライブ制御部６は、データメモリ５Ｘに所定量分のデータが蓄積されていなくても、データ制御部５を通じてデータメモリ５Ｘからデータを読み出し、これを光ディスクドライブ７に装填された光ディスクに書き込む処理を行う。このように、記録処理時においては、データメモリ５Ｘに所定量分のデータが蓄積されていなくても、光ディスクに書き込む処理を行う場合もある。
【００５１】
［再生処理時の基本動作について］
上述のようにして、光ディスクドライブ７に装填されたＤＶＤに記録されたデータを再生する場合には、この実施の形態のビデオカメラは以下のように動作する。すなわち、操作部１１１を通じて、光ディスクドライブ７に装填されたＤＶＤに記録されているデータの再生指示を受け付けると、ドライブ制御部６は、光ディスクドライブ７とはＡＴＡ／ＡＴＡＰＩプロトコル標準に沿った非連続なハンドシェイクプロトコル処理を行うとともに、データ制御部５を介してデータメモリ５Ｘとのハンドシェイクを行って、光ディスクドライブ７に対して目的とするデータの読み出しを行うように制御する。
【００５２】
これに応じて、光ディスクドライブ７は装填されているＤＶＤから目的とするデータを読み出し、これをドライブ制御部６に供給する。ドライブ制御部６は、光ディスクドライブ７からのデータを受け付け、これをデータ制御部５に供給する。データ制御部５は、ドライブ制御部６からのデータをデータメモリ５Ｘに書き込むとともに、データメモリ５Ｘからエンコード／デコード部４においての処理速度に応じたレートで読み出し、読み出したデータをエンコード／デコード部４に供給する。
【００５３】
エンコード／デコード部４は、データ制御部５からのデータ（ＴＳデータ）を受け付け、Ｅｎｃ／Ｄｅｃメモリ４Ｘを作業領域として用い、多重化されている画像データと音声データとを分離し、この分離した画像データと音声データとは上述もしたようにデータ圧縮されているのでこれらについて伸張処理して、データ圧縮前の画像データと音声データとを復元し、これらをビデオ／オーディオＩ／Ｆ３に供給する。
【００５４】
ビデオ／オーディオＩ／Ｆ３は、エンコード／デコード部４からの音声データからスピーカ８に供給する音声信号を形成して、これをスピーカ８に供給するとともに、エンコード／デコード部４からの画像データから表示部９に供給する画像信号を形成して、これを表示部９のＬＣＤコントローラ９２に供給する。
【００５５】
これにより、スピーカ８からは、ＤＶＤから読み出された音声データに応じた音声が放音され、ＬＣＤ９１の表示画面に、ＤＶＤから読み出された画像データに応じた画像が表示される。このようにして、光ディスクドライブ７に装填されたＤＶＤに記録されている画像データと音声データとを読み出して再生することができるようにされる。
【００５６】
［光ディスクドライブの構成について］
次に、記録時において、データ制御部５、ドライブ制御部６と協働することによって、間欠記録方式でデータの記録を行うことができる光ディスクドライブ７の構成について説明する。図２は、この実施の形態のビデオカメラの光ディスクドライブ７を説明するためのブロック図である。
【００５７】
図２において、参照符号７０は、光ディスクドライブ７に装填されたＤＶＤである。そして、この実施の形態の光ディスクドライブ７は、スピンドルモータ７１、光ピックアップ７２、サーボ回路７３、ＲＦ回路７４、復調回路７５、Ｉ／Ｆ７６、変調部７７、ＬＤ（Laser Diode）ドライブ回路７８、マイクロコンピュータ７９を備えたものである。
【００５８】
ここで、光ディスクドライブ７のマイクロコンピュータ７９は、光ディスクドライブ７９の各部を制御するものであり、図示しないが、ＣＰＵ（Central Processing unit）、ＲＯＭ（Read Only Memory）、ＲＡＭ（Random Access Memory）がバスを通じて接続されて構成されたものである。
【００５９】
スピンドルモータ７１は装填されたＤＶＤを回転駆動するためのものである。また、光ピックアップ２は、２軸アクチュエータ、レーザ光を出射するレーザダイオード（ＬＤ）、ビームスプリッタ、対物レンズ、例えば４分割のフォトディテクタ等を備えたものである。なお、光ピックアップ７２は、２軸アクチュエータによって、ＤＶＤの半径方向とＤＶＤの記録面に対して直交する方向に位置を微調整することができるようにされているとともに、スレッドモータによって、ＤＶＤ７０の半径方向に大きく移動することもできるようにされている。
【００６０】
そして、スピンドルモータ７１は、サーボ回路７３により制御され、ＤＶＤ７０を線速度一定で回転駆動させる。そして、光ピックアップ２からＤＶＤ７０のデータ記録面に対してレーザ光が照射され、その反射光が光ピックアップ２のビームスプリッタを通じて４分割フォトディテクタによって受光され、その受光量が電気信号に変換されてＲＦ回路７４に供給される。
【００６１】
また、ＲＦ回路７４は、再生処理時において、光ピックアップ２の４分割フォトディテクタのそれぞれからの受光量に応じた電気信号を演算処理し、再生高周波信号（再生ＲＦ信号）と、フォーカスエラー信号ＦＥと、トラッキングエラー信号ＴＥとを形成する。そして、再生高周波信号は復調回路７５に供給され、フォーカスエラー信号ＦＥとトラッキングエラー信号ＴＥとはサーボ回路７３に供給される。
【００６２】
サーボ回路７３は、ＲＦ回路７４からのトラッキングエラー信号ＴＥとフォーカスエラー信号ＦＥとに応じて、光ピックアップ２の２軸アクチュエータを制御するためのサーボ信号を形成し、これを光ピックアップ２の２軸アクチュエータに供給する。これにより、２軸アクチュエータが調整され、ＤＶＤ７０上のトラックを正確に、しかも適正な大きさのスポット形状のレーザ光によって走査することができるようにされる。
【００６３】
一方、復調回路７５はこれに供給された再生高周波信号を復調処理するとともに、エラー訂正処理などをも行って、再生信号（再生データ）を形成し、これをＩ／Ｆ７６を通じて、ドライブ制御部６に供給する。この後、上述したように、データ制御部５やデコード／エンコード部４の機能が用いられて、当該読み出したデータに応じた画像や音声の再生を行うことができるようにされる。
【００６４】
一方、データを記録する場合には、ドライブ制御部６からのデータは、光ディスクドライブ７のＩ／Ｆ７６を通じて受け付けられ、変調回路７７に供給され、ここで記録用の信号に変調された後に、ＬＤドライブ回路７８に供給される。ＬＤドライブ回路７８は、これに供給された記録用の信号に応じて、光ピックアップ２のレーザダイオードを駆動するためのドライブ信号を形成し、これを光ピックアップ２のレーザダイオードに供給するようにする。これにより、記録するデータに応じた強度のレーザ光が、光ピックアップ２のレーザダイオードからＤＶＤ７０の記録面のトラック上に照射され、データがＤＶＤの所定の位置に記録される。
【００６５】
なお、この記録処理時においても、上述した再生時においての処理と同様にして、ＤＶＤからのレーザ光の反射光に応じてＲＦ回路７４において形成されるトラッキングエラー信号ＴＥとフォーカスエラー信号ＦＥとに応じたサーボ回路７３の制御により、トラッキングサーボとフォーカスサーボとが行うようにされ、ＤＶＤ７０上のトラックを正確に、しかも適正な大きさのスポット形状のレーザ光によって走査することができるようにされている。
【００６６】
そして、光ディスクドライブ７のマイクロコンピュータ７９は、Ｉ／Ｆ７６を通じて、ドライブ制御部６との間で種々の情報の送受を行うことができるようにされている。例えば、記録対象の所定量分のデータをＤＶＤ上に記録することを指示する情報とともに、当該記録対象の所定量分のデータがドライブ制御部６から供給された場合には、上述もしたように、変調回路７７、ＬＤドライブ回路７８を通じて、記録対象のデータに応じたレーザダイオードのドライブ信号が光ピックアップ２のレーザダイオードに供給されて、ＤＶＤ７０に対してデータの記録を行う。
【００６７】
所定量分のデータをＤＶＤ７０に記録し終えると、光ディスクドライブ７のマイクロコンピュータ７９は、各部を制御するともに、各部への電源の供給を制御して、光ディスクドライブ７を記録停止状態にし、再度、記録対象の所定量分のデータがドライブ制御部６から供給された場合に、各部を起動させ、所定量分のデータの記録を行うようにする。このように、この実施の形態のビデオカメラにおいては、光ディスクドライブ７のマイクロコンピュータ７９の機能によって、ビデオカメラのドライブ制御部などと協働し、データの間欠記録を行うようにして、消費電力の省力化を実現することができるようにしている。
【００６８】
さらに、この実施の形態のビデオカメラにおいて、光ディスクドライブ７は、用いるＤＶＤの品質や当該ビデオカメラの使用環境などの影響を受けて、その瞬間にしか取られることのできない画像や音声を取り損なうことがないようにするため、間欠記録を行うようにしている場合の記録停止期間内に、光ディスクドライブ７を停止させずに、記録予定エリアに傷、汚れ、凹凸などの欠陥が存在するか否かを検査するための欠陥検査や記録済みエリアに記録されているデータを適性に読取る（読み出す）ことができるか否かを検査する読取り検査を行うことによって、欠陥部分へのデータの記録を防止したり、ビデオカメラの記録時に用いる各種の記録パラメータやスキュー角の値などを適正にしたりして、信頼性高く、安定にデータを記録することができるようにしている。
【００６９】
［記録時の動作の詳細について］
次に、この実施の形態のビデオカメラにおいての記録時の動作について詳細に説明する。以下においては説明を簡単にするため、エンコード／デコード部４における処理速度（すなわち、データメモリ５Ｘへのデータの転送レート）が１０Ｍｂｐｓ（Mega bits per second）であり、光ディスクドライブ７においてのＤＶＤへのデータの書き込み速度が転送レートの２倍速の２０Ｍｂｐｓであり、データメモリの記憶容量が２０ＭＢ（Mega byte）である場合を例にして説明する。
【００７０】
［間欠記録動作について］
図３は、この実施の形態のビデオカメラの記録処理時に行われる間欠記録動作を説明するための図である。上述のように、データメモリ５Ｘへのデータの転送レートが１０Ｍｂｐｓであり、データメモリ５Ｘの記憶容量が２０ＭＢ（１６０Ｍｂｉｔ）であるので、図３の時点ｔ１に示すように、データメモリ５Ｘが空の状態からデータを満杯に蓄積するまでにかかる時間（時点ｔ１から時点ｔ２までの時間）は１６秒である。
【００７１】
データメモリ５Ｘにデータがいっぱいに蓄積されると、これを光ディスクドライブ７に転送してＤＶＤに記録するが、データメモリ５Ｘに蓄積された２０ＭＢのデータをＤＶＤに記録するためにかかる時間は時点ｔ２から時点ｔ３までの約７秒である。この時点ｔ２から時点ｔ３までの約７秒間の間に新たにデータメモリ５Ｘに蓄積されるデータの量は、転送速度より約８．７５ＭＢ（容量全体の約４０％）であるので、データメモリ５Ｘに蓄積された２０ＭＢのデータを書き込みレート２０ＭＢで記録し終えた後においても、まだ、約１１．２５ＭＢ（容量全体の約６０％）のデータをデータメモリ５Ｘに蓄積しなければならず、図３に示すように、時点ｔ３から時点ｔ４までの約９秒の間、光ディスクドライブ７は停止状態とすることができる。
【００７２】
したがって、図３に示したように、撮影開始から１６秒後に記憶容量が２０ＭＢのデータメモリ５Ｘはいっぱいになり、その直後の７秒間が記録動作期間Ｗ１となって、データメモリ５Ｘに記録された２０ＭＢのデータが光ディスクドライブ７のＤＶＤに記録される。この間においても、データメモリ５Ｘへのデータの記録は続行されている。しかし、７秒間にデータメモリ５Ｘに蓄積されるデータ量は約８．７５ＭＢであるので、残りの１１．２５ＭＢ分のデータをデータメモリ５Ｘに蓄積するまでにかかる約９秒の期間は、記録停止期間ＳＰ１となって、この記録停止期間ＳＰ１の間、光ディスクドライブ７は停止状態となる。
【００７３】
この後、７秒の記録動作期間Ｗ２（時点ｔ４から時点ｔ５までの期間）、９秒の記録停止期間ＳＰ２（時点ｔ５から時点ｔ６間での期間）、７秒の記録動作期間Ｗ３、９秒の記録停止期間ＳＰ３、…というように、７秒間の記録動作期間Ｗと９秒間の記録停止期間ＳＰとが交互に繰り返されることにより、間欠記録動作が行われる。このようにして、隣接する記録停止期間Ｗで挟むように約９秒間の記録停止期間ＳＰを設けることができ、この記録停止期間ＳＰにおいて、光ディスクドライブ７の動作を停止させるようにすることができるので、消費電力の省力化を実現することができる。
【００７４】
そして、上述もしたように、この実施の形態のビデオカメラにおいては、間欠記録方式でデータを記録するようにした場合に生じる記録停止期間において、次に、所定量分（この例においては２０ＭＢ分）のデータを記録することになる記録予定エリアの欠陥検査、あるいは、直前に所定量分のデータを記録した記録済みエリアの読取り検査、あるいは、その両方の検査を行うようにしている。
【００７５】
［記録予定エリアの検査について］
図４は、間欠記録方式でデータを記録するようにしている場合に、隣接する記録動作期間Ｗで挟まれた期間において、次に所定量分のデータを記録することになる記録予定エリアの検査を行うようにする場合を説明するための図である。
【００７６】
上述もしたように、光ディスクドライブでは光ディスクに記録を行う場合にはＣＬＶ方式（線速度一定）を用いることが一般的である。ＣＬＶ方式では線速度が一定であるため、一定期間に記録・再生できるデータ量は光ディスクドライブに装填されたＤＶＤのいかなる位置であっても一定である。
【００７７】
光ディスクドライブの記録時間はメモリ容量によっても異なるが、図３を用いて説明したようなタイミングで間欠記録を行うのであれば、記録停止期間ＳＰ１、ＳＰ２、…の各記録停止期間ＳＰ中において、次に２０ＭＢ分のデータを記録することになるＤＶＤ上の記録領域に欠陥があるか否かの検査（欠陥検査）をすることが十分に可能である。つまり、書き込みレートが２０Ｍｂｐｓで２０ＭＢのデータを記録するのに必要な約７秒間の時間があれば、約２０ＭＢのデータを記録することになる記録予定エリアを検査するには十分である。
【００７８】
そこで、図４に示すように、データメモリ５Ｘに蓄積された２０ＭＢのデータをＤＶＤに記録する記録動作期間Ｗ１、Ｗ２、Ｗ３、…の直後において、約７秒間の記録予定エリア検査期間ＴＡ２（時点ｔ３から７秒間の期間）、ＴＡ３（時点ｔ５から７秒間の期間）、…を設け、この記録予定エリア検査期間ＴＡにおいて、光ディスクドライブ７のマイクロコンピュータ７９が各部を制御し、次の記録動作期間Ｗにおいて次に２０ＭＢ分のデータを記録することになる記録予定エリアＴＡの欠陥検査を行う。
【００７９】
なお、１番目の記録動作期間Ｗ１においてデータが書き込まれる記録エリアについての欠陥検査を行うため、１番目の記録動作期間Ｗ１の直前に１番目の記録予定エリア検査期間ＴＡ１を設け、１番目の記録動作期間Ｗ１において所定量分のデータが記録されることになる記録予定エリアの欠陥検査を行う。
【００８０】
そして、２番目の記録予定エリア検査期間Ｔ２においては、２番目の記録動作期間Ｗ２において所定量分のデータを記録することになる記録予定エリアの欠陥検査を行い、３番目の記録予定エリア検査期間Ｔ３においては、３番目の記録動作期間Ｗ３において所定量分のデータを記録することになる記録予定エリアの欠陥検査を行うというように、次にデータを記録する記録予定エリアをデータを実際に記録する前にチェックする。
【００８１】
具体的には、各記録予定エリア検査期間ＴＡ１、ＴＡ２、ＴＡ３、…のそれぞれにおいて、マイクロコンピュータ７９が各部を制御し、光ピックアップ２により、２０ＭＢ分のデータを記録することになるＤＶＤのトラック上にレーザ光を照射し、その反射光を受光して電気信号に変換し、これをＲＦ回路７４においてデジタル化するなどの処理を行ってマイクロコンピュータ７９に供給する。マイクロコンピュータ７９は、ＲＦ回路７４からのＤＶＤ７０からの反射光に応じた情報を受信して、反射光の状態を解析することにより、その記録予定エリアに欠陥が生じていないか否かを検査する。
【００８２】
簡単には、極端に反射光量の少ない部分がある場合には、その部分は傷や汚れがついている部分であると検出することが可能である。また、一定のレベルでレーザ光を照射しているにもかかわらず、反射光量が変動する部分が有れば、ＤＶＤの記録面に凹凸が生じていたり、スキュー（ＤＶＤの記録面の傾き）が生じていたりすると判断でき、その部分を特定することができる。
【００８３】
そして、図４に示したように、各記録予定エリア検査期間ＴＡ１、ＴＡ２、ＴＡ３、…のそれぞれにおいて、次にデータを記録することになる記録予定エリアの欠陥検査を行い、欠陥部分が検出された場合には、図２に示した光ディスクドライブ７のマイクロコンピュータ７９がその欠陥部分をデータの記録には使用しないようにし、他の正常な部分を記録に用いるようにするいわゆる代替処理を行うようにする。
【００８４】
あるいは、欠陥部分が検出されたことを、光ディスクドライバ７のマイクロコンピュータ７９が、Ｉ／Ｆ７５、ドライブ制御部６を通じて、この実施の形態のビデオカメラの制御部１００に通知し、これをユーザーＩ／Ｆ部１１０のＬＥＤ１１２や、ビデオ／オーディオＩ／Ｆ３および表示部９を通じてユーザーに通知し、ディスク記録媒体であるＤＶＤの交換を促したりする。
【００８５】
これによって、正常な記録エリアに対してのみデータを書き込むことができるようにされ、記録処理が停止されたり、データの記録はできたはずなのにデータが読み出せなかったりするなどの不都合を回避することができ、信頼性の高い記録処理を行うことができるようにされる。
【００８６】
なお、図４を用いて説明したように、約７秒間の各記録動作期間Ｗの直後に、約７秒間の記録予定エリア検査期間ＴＡを設けた場合には、各記録予定エリア検査機関ＴＡの直後の約２秒間の期間が、ＤＶＤへのデータの記録が行われない記録停止期間となる。
【００８７】
［記録済みエリアの検査について］
図５は、間欠記録方式でデータを記録するようにしている場合に、隣接する記録動作期間Ｗで挟まれた期間において、直前にデータを記録した記録済みエリアの検査を行うようにする場合を説明するための図である。
【００８８】
上述もしたように、この実施の形態のビデオカメラの光ディスクドライブ７は、ＣＬＶ方式を用いており、一定期間に記録・再生できるデータ量は光ディスクドライブに装填されたＤＶＤのいかなる位置であっても一定である。したがって、直前に２０ＭＢのデータを記録したＤＶＤの記録エリアに記録されたデータの読取り検査を行う場合にも、２０ＭＢのデータをＤＶＤに記録した場合と同じ時間、すなわち、７秒間で読取り検査を行うことができる。
【００８９】
そこで、図５に示すように、データメモリ５Ｘに蓄積された２０ＭＢのデータをＤＶＤに記録する各記録動作期間Ｗ１、Ｗ２、Ｗ３、…の直後において、約７秒間の記録済みエリア検査期間（図においては、記録済エリア検査期間と記載。）ＴＢ１（時点ｔ３から７秒の期間）、記録済み検査期間ＴＢ２（時点ｔ５から７秒間の期間）、…を設け、この記録済みエリア検査期間ＴＢにおいて、光ディスクドライブ７のマイクロコンピュータ７９が各部を制御し、直前の記録動作期間Ｗ１、Ｗ２、…において記録した２０ＭＢ分のデータの読取り検査を行う。
【００９０】
具体的には、各記録済みエリア検査期間ＴＢ１、ＴＢ２、…のそれぞれにおいて、マイクロコンピュータ７９が各部を制御し、光ピックアップ７２により、直前に２０ＭＢ分のデータを記録したＤＶＤのトラック上にレーザ光を照射し、その反射光を受光して記録されているデータを読み出し、そのエラー率を求め、この求めたエラー率をマイクロコンピュータ７９に供給する。
【００９１】
そして、マイクロコンピュータ７９は、直前に２０ＭＢ分のデータを記録した記録済みエリアＴＢから読み出したデータのエラー率が高く適正にデータの読み出しができていないと判断した場合には、ＤＶＤの状態や使用環境などの影響を受けて、適正なパワーのレーザ光で記録処理を行うことができていないなど、いわゆる記録パラメータが適正でなくなっている可能性があると判断する。そして、ライトキャリブレーションを再度行うようにして、記録時のレーザパワーなどの各種の記録パラメータの再設定を行うようにしたり、記録レーザ光のレベルや各種のサーボエラー信号の直接の補正処理を行うようにしたりする。
【００９２】
あるいは、読み出したデータのエラー率が高い場合に、光ディスクドライバ７のマイクロコンピュータ７９が、Ｉ／Ｆ７５、ドライブ制御部６を通じて、この実施の形態のビデオカメラの制御部１００に通知し、これをユーザーＩ／Ｆ部１１０のＬＥＤ１１２や、ビデオ／オーディオＩ／Ｆ３および表示部９を通じてユーザーに通知し、ディスク記録媒体であるＤＶＤの交換を促したりする。
【００９３】
これにより、使用環境などの影響を受けて、適正なパワーのレーザ光でデータの記録を行うことができなくなっている場合などにおいて、記録処理に関連する各種の記録パラメータの再設定処理や補正処理を行って、適正にデータの読み出しができるように、データの記録を行うことができるようにされる。
【００９４】
また、適正にデータの読み出しができていないことをユーザーに通知した場合には、記録処理を一時中断し、即座にライトキャリブレーションを行って、迅速に適正な記録ができるように記録パラメータの再設定を行うようにしたり、記録パラメータの補正処理をユーザーが意識して迅速に行うようにしたりすることができる。
【００９５】
なお、図５を用いて説明したように、約７秒間の各記録動作期間Ｗの直後に、約７秒間の記録済みエリア検査期間ＴＢを設けた場合には、各記録済みエリア検査機関ＴＢの直後の約２秒間の期間が、ＤＶＤへのデータの記録が行われない記録停止期間となる。
【００９６】
［記録予定エリアと記録済みエリアとの検査について］
図４に示した例の場合には、記録予定エリアについての欠陥検査のみを行うようにし、また、図５に示した例の場合には、記録済みエリアについての読取り検査のみを行うようにした。しかし、これに限るものではない。例えば、記録予定エリアについての欠陥検査と記録済みエリアについての読取り検査との両方を行うようにすることもできる。図６は、記録予定エリアの欠陥検査と記録済みエリアの読取り検査との両方を行うようにする場合を説明するための図である。
【００９７】
上述した例、すなわち、転送レートを１０Ｍｂｐｓ、書き込みレートを２０Ｍｂｐｓ、データメモリ５Ｘの記憶容量を２０ＭＢとした場合において、この実施の形態のビデオカメラが図３を用いて説明した本来の間欠記録動作を行うようにした場合の記録停止期間ＳＰは、約９秒間である。このため、約９秒間の記録停止期間ＳＰにおいては、データの記録処処理を行った記録動作期間と同じ７秒間の時間が必要な記録予定エリアの欠陥検査と記録済みエリアの読取り検査との両方を行うことはできない。
【００９８】
このため、記録予定エリアの欠陥検査と記録済みエリアの読取り検査との両方を行うようにするためには、（１）データメモリ５Ｘの記憶容量を大きくして余裕を持たせるようにするか、（２）データメモリ５Ｘへのデータの転送レートを低くして所定容量分のデータの蓄積にかかる時間を長くするか、（３）ＤＶＤへのデータの書き込みレートを高くして、記録動作期間を短くするか、あるいは、これら（１）、（２）、（３）の少なくとも２つを組み合わせるか、あるいは、（１）、（２）、（３）の全部を行うようにするかの方策を講じる。
【００９９】
すなわち、図６に示すように、時点ｔ１から時点ｔ２までの期間、時点ｔ２から時点ｔ３までの期間、時点ｔ３から時点ｔ４までの期間が、空のデータメモリ５Ｘに対して、いっぱいにデータを蓄積するために必要となるデータ蓄積期間となるが、この各データ蓄積期間において、図６に示すように、記録動作期間Ｗ、記録予定エリア検査期間ＴＡ、記録済みエリア検査機関ＴＢの各期間を設けることができるように、上述した（１）、（２）、（３）のいずれか、あるいは、少なくとも２つ以上の組み合わせの方策を講じるようにする。基本的に記録動作期間Ｗと、記録予定エリア検査期間ＴＡと、記録済みエリア検査機関ＴＢとは、同じ時間分の期間となる。
【０１００】
そして、図６に示したように、時点ｔ１において撮影を開始し、時点ｔ２において所定量分のデータがデータメモリ５Ｘに蓄積されるために、時点ｔ２に対応する時点Ｐ２から時点ｐ３までの期間が、第１番目の記録動作期間Ｗ１となるが、この第１番目の記録動作期間Ｗ１においてデータを記録する記録予定エリアについての欠陥検査を、図６において、記録動作期間Ｗ１の直前の記録予定エリア検査期間ＴＡ１（時点ｐ１から時点ｐ２までの期間）において実行するようにする。
【０１０１】
そして、時点ｔ２から時点ｔ３までのデータ蓄積期間においては、記録動作期間Ｗ１（時点ｐ２から時点ｐ３までの期間）において、記録予定検査期間ＴＡ１において検査した記録予定エリアに、時点ｔ１から時点ｔ２までの間にデータメモリ５Ｘに記録した所定量分のデータをＤＶＤに記録する。その直後の記録予定エリア検査期間ＴＡ２（時点ｐ３から時点ｐ４間での期間）において、次の記録動作期間Ｗ２において所定量分のデータを記録することになる記録予定エリアの欠陥検査を実行し、その直後の記録済みエリア検査機関ＴＢ１（時点ｐ４から時点ｐ５までの期間）において、直前の記録動作期間Ｗ１において記録したデータの読取り検査を実行する。
【０１０２】
時点ｔ３から時点ｔ４までのデータ蓄積期間においても同様に、記録動作期間Ｗ２（時点ｐ５から時点ｐ６までの期間）において、記録予定検査期間ＴＡ２において検査した記録予定エリアに、時点ｔ２から時点ｔ３までの間にデータメモリ５Ｘに記録した所定量分のデータをＤＶＤに記録する。その直後の記録予定エリア検査期間ＴＡ３（時点ｐ６から時点ｐ７間での期間）において、次の記録動作期間Ｗ３において所定量分のデータを記録することになる記録予定エリアの欠陥検査を実行し、その直後の記録済みエリア検査機関ＴＢ２（時点ｐ７から時点ｐ８までの期間）において、直前の記録動作期間Ｗ２において記録したデータの読取り検査を実行する。
【０１０３】
このように、先に記録予定エリア検査期間ＴＡを設け、次に記録済み予定エリア検査期間ＴＢを設けることにより、光ピックアップ２の移動距離を最小限に抑えることができる。つまり、図６を用いて説明したように、記録済みエリア検査機関ＴＢ１においての検査対象は、記録動作期間Ｗ１においてデータを記録した領域であり、記録済みエリア検査期間ＴＢ１が終了した時点においては、記録動作期間Ｗ１の終了時と同じ位置に光ピックアップ２を位置付けるようにすることが可能となり、２番目の記録動作期間Ｗ２においての記録動作にスムーズに移行することが可能となる。
【０１０４】
以降のデータ蓄積期間においても同様に、記録動作期間Ｗ→記録予定エリア検査期間ＴＡ→記録済みエリア検査期間ＴＢという順番で各処理の期間を設け、データの記録→次にデータを記録する記録予定エリアの欠陥検査→直前に所定量分のデータを記録した記録済みエリアの読取り検査を行うようにする。
【０１０５】
なお、記録予定エリアの欠陥検査は、図４を用いた記録予定エリアの欠陥検査と同様に行われる。すなわち、光ピックアップ２を通じて次に２０ＭＢ分のデータを記録することになる領域にレーザ光を照射してその反射光を受光し、これを電気信号に変換してＲＦ回路７４に供給する。ＲＦ回路に７４においては、光ピックアップ７２からの反射光に応じた電気信号をデジタル化してマイクロコンピュータ７９に供給する。これをマイクロコンピュータ７９において解析することにより、傷や汚れの発生（付着）の有無と、ＤＶＤ上のアドレスに基づいて傷や汚れの発生箇所（付着箇所）を特定することができる。
【０１０６】
また、記録済みアリアの読取り検査は、図５を用いた記録済みアリアの読取り検査と同様におこなわれる。すなわち、光ピックアップ２を通じて、直前に２０ＭＢ分のデータを記録した領域にレーザ光を照射してその反射光を受光し、これを電気信号に変換してＲＦ回路７４に供給する。ＲＦ回路７４においては、光ピックアップ７２からの反射光に応じた電気信号をデジタル化してエラー率（読取りデータのエラー率）を算出して、これをマイクロコンピュータ７９に供給する。この算出したエラー率をマイクロコンピュータ７９に供給することによって、マイクロコンピュータ７９において、ＤＶＤ７０からデータを適正に読取ることができているか否かを判別することができる。
【０１０７】
このように、記録予定エリアの欠陥検査と記録済みエリアの読取り検査との両方を行うことによって、これからデータを記録することになる記録予定エリアのチェックと、直前に記録したデータのチェックとの両方を行うようにすることができる。したがって、ＤＶＤに付着している傷や汚れ、あるいは、凹凸やスキューなど、記録媒体に起因する記録障害と、ＤＶＤの状態や使用環境などの影響を受けて、レーザパワーが適正でなくなるなどの使用環境に起因する障害との両方を防止し、信頼性高くデータの記録を行うことができるようになる。
【０１０８】
［記録処理時の動作について］
次に、図４、図５、図６を用いて説明したこの実施の形態のビデオカメラの主に光ディスクドライブ７の記録処理時の動作について、（１）記録予定エリアの欠陥検査を行う場合と、（２）記録済みエリアの読取り検査を行う場合と、（３）その両方を行う場合とのそれぞれについて、図７、図８、図９のフローチャートを参照しながら説明する。
【０１０９】
［（１）記録予定エリアの欠陥検査を行う場合の記録処理について］
図７は、図４を用いて説明した記録予定エリアの欠陥検査を行うようにした場合の主に光ディスクドライブ７の記録処理時の動作について説明するためのフローチャートである。この図７に示す処理は、例えば、撮影が開始された直後、および、データメモリ５Ｘに２０ＭＢ分のデータが蓄積され、ドライブ制御部６からのデータの書き込み要求を光ディスクドライブ７のマイクロコンピュータ７９が受け付ける毎に、光ディスクドライブ７９のマイクロコンピュータ７９において主に実行される処理である。すなわち、図７に示す処理は、図４に示した最初の記録予定エリア検査期間ＴＡの開始のタイミング、および、時点ｔ２、ｔ４、ｔ６、…のそれぞれにおいて実行される処理である。
【０１１０】
撮影が開始されると、制御部１００からの制御に応じて、ドライブ制御部６は、光ディスクドライブ７に対して、記録予定エリアの検査要求を送信してくる。光ディスクドライブ７のマイクロコンピュータ７９は、記録予定エリアの検査要求を受信したときには、図７に示す処理を実行し、記録予定エリアの検査要求を受信したことによる実行か否かを判断する（ステップＳ１０１）。
【０１１１】
ステップＳ１０１の判断処理において、記録予定エリアの検査要求を受信したことによる実行であると判断したときには、まだ、２０ＭＢ分のデータの蓄積期間であるので、データの記録処理は行わずに、光ピックアップ７２などを制御して、今度（直後の記録動作期間において）２０ＭＢ分のデータを記録することになる記録予定エリアにレーザ光を照射し、記録予定エリアの欠陥検査を行うようにする（ステップＳ１０４）。
【０１１２】
そして、マイクロコンピュータ７９は、今度２０ＭＢ分のデータを記録することになる記録予定エリアに欠陥を発見したか否かを判断し（ステップＳ１０５）、欠陥を発見したと判断したときには、その発見した欠陥部分を使用しないようにするなどの交替処理を実行し（ステップＳ１０６）、この図７に示す処理を終了する。
【０１１３】
また、ステップＳ１０５の判断処理において、今度２０ＭＢ分のデータを記録することになる記録予定エリアに欠陥は存在しなかったと判断したときには、交替処理は行わずに、図７に示す処理を終了する。このような処理は、図４に示した記録予定エリア検査期間ＴＡ１においての処理である。
【０１１４】
そして、上述もしたように、データメモリ５Ｘに２０ＭＢ分のデータが蓄積される時点ｔ２、ｔ４、ｔ６、…において、ドライブ制御部６からの書き込み要求を受信した場合にも、この図７に示す処理を実行することになる。そして、図４に示した時点ｔ２、ｔ４、ｔ６、…のデータメモリ５Ｘの所定容量分のデータの蓄積時においても、まず、記録予定エリアの検査要求に応じた実行か否かを判断する（ステップＳ１０１）。
【０１１５】
この場合には、データの書き込み要求に応じた実行であるので、マイクロコンピュータ７９は、光ディスクドライブ７の各部を制御し、ドライブ制御部６を通じて供給され、Ｉ／Ｆ７６を通じて受け付けたデータを、変調回路７７、ＬＤドライバ７８、光ピックアップ７２を通じて、光ディスクドライブ７に装填されたＤＶＤ７０に記録する処理を行う（ステップＳ１０２）。この場合の書き込みレートは、上述もしたように、２０Ｍｂｐｓであり、２０ＭＢのデータの全部を約７秒間でＤＶＤ７０に記録する。
【０１１６】
そして、マイクロコンピュータ７９は、２０ＭＢ分のデータの記録が完了したか否かを判断し（ステップＳ１０３）、記録が完了していないときには、ステップＳ１０２からの処理を繰り返すようにしてデータのＤＶＤへの記録を続行する。ステップＳ１０３の判断処理において、２０ＭＢ分のデータのＤＶＤへの記録が完了したと判断したときには、上述もしたように、光ピックアップ７２などを制御して、今度、２０ＭＢ分のデータを記録することになる記録予定エリアにレーザ光を照射するとともにその反射光を受光して、記録予定エリアの欠陥検査を行うようにする（ステップＳ１０４）。
【０１１７】
そして、マイクロコンピュータ７９は、今度、２０ＭＢ分のデータを記録することになる記録予定エリアに欠陥を発見したか否かを判断し（ステップＳ１０５）、欠陥を発見したと判断したときには、その発見した欠陥部分を使用しないようにする交替処理を実行し（ステップＳ１０６）、この図７に示す処理を終了する。
【０１１８】
また、ステップＳ１０５の判断処理において、今度、２０ＭＢ分のデータを記録することになる記録予定エリアに欠陥は存在しなかったと判断したときには、交替処理は行わずに、図７に示す処理を終了する。
【０１１９】
このようにして、次に所定量分のデータを記録することになる記録予定エリアの欠陥検査を行うことによって、欠陥部分は避けて、適正にデータを記録することが可能なエリアのみにデータを記録することができるようにされる。
【０１２０】
［（２）記録済みエリアの読取り検査を行う場合の記録処理について］
図８は、図５を用いて説明した記録済みエリアの読取り検査を行うようにした場合の主に光ディスクドライブ７の記録処理時の動作について説明するためのフローチャートである。この図８に示す処理は、データメモリ５Ｘに２０ＭＢ分のデータが蓄積され、ドライブ制御部６からのデータの書き込み要求を光ディスクドライブ７のマイクロコンピュータ７９が受け付ける毎に、光ディスクドライブ７９のマイクロコンピュータ７９において主に実行される処理である。すなわち、図８に示す処理は、図５に示した時点ｔ２、ｔ４、ｔ６、…のそれぞれ毎に実行される処理である。
【０１２１】
そして、データメモリ５Ｘに２０ＭＢ分のデータが蓄積される時点ｔ２、ｔ４、ｔ６、…において、ドライブ制御部６からの書き込み要求を受信すると、光ディスクドライブ７は、図８に示した処理を実行することになる。そして、マイクロコンピュータ７９は、光ディスクドライブ７の各部を制御し、ドライブ制御部６を通じて供給され、Ｉ／Ｆ７６を通じて受け付けたデータを、変調回路７７、ＬＤドライバ７８、光ピックアップ７２を通じて、光ディスクドライブ７に装填されたＤＶＤ７０に記録する処理を行う（ステップＳ２０１）。この場合の書き込みレートは、上述もしたように、２０Ｍｂｐｓであり、２０ＭＢのデータの全部を約７秒間でＤＶＤ７０に記録する。
【０１２２】
そして、マイクロコンピュータ７９は、２０ＭＢ分のデータの記録が完了したか否かを判断し（ステップＳ２０２）、記録が完了していないときには、ステップＳ２０１からの処理を繰り返すようにしてデータのＤＶＤへの記録を続行する。ステップＳ１０３の判断処理において、２０ＭＢ分のデータのＤＶＤへの記録が完了したと判断したときには、上述もしたように、光ピックアップ７２などを制御して、直前の記録動作期間においてデータを記録したエリアを光ビームで走査して記録されているデータを読取り、そのエラーレート（エラー率）を算出するようにして、記録されているデータを適正に読取ることができるか否かの検査を行う（ステップＳ２０３）。
【０１２３】
そして、マイクロコンピュータ７９は、ステップＳ２０３において求めた読取りのエラーレートに基づいて、読取り時のエラーレートが高く、記録状態が悪化しているか否かを判断する（ステップＳ２０４）。ステップＳ２０４の判断処理において、記録状態が悪化していると判断したときには、レーザパワーなどの種々の記録パラメータの補正処理を行ったり、あるいは、ライトキャリブレーション処理を行って、記録パラメータの再設定処理を行ったりする（ステップＳ２０５）。そして、この図８に示す処理を終了する。また、ステップＳ２０４の判断処理において、記録状態は悪化していないと判断したときには、記録パラメータの補正処理などは行うことなく、この図８に示す処理を終了する。
【０１２４】
このようにして、データをＤＶＤに間欠的に記録するタイミング毎に、直前の記録動作期間においてデータを記録した記録済みエリアについて、データの読取り検査を行って、適正に読取りできない場合には、記録パラメータの補正処理等を行って、データを適正にＤＶＤに記録することができるようにされる。
【０１２５】
［（３）記録予定エリアの欠陥検査と記録済みエリアの読取り検査とを行う場合の記録処理について］
図９は、図６を用いて説明した記録予定エリアの欠陥検査と記録済みエリアの読取り検査との両方を行うようにした場合の主に光ディスクドライブ７の記録処理時の動作について説明するためのフローチャートである。なお、この図９に示す処理は、データメモリ５Ｘに２０ＭＢ分のデータが蓄積され、ドライブ制御部６からのデータの書き込み要求を光ディスクドライブ７のマイクロコンピュータ７９が受け付ける毎に、光ディスクドライブ７９のマイクロコンピュータ７９において主に実行される処理である。
【０１２６】
そして、図６を用いて説明したように、記録予定エリアの欠陥検査と記録済みエリアの読取り検査との両方を行う場合においても、図４、図７を用いて説明した記録予定エリアの欠陥検査のみを行うようにした場合と同様に、最初の記録動作期間の開始時点よりも前において、当該最初の記録動作開始期間においてデータを記録することになる記録予定エリアの欠陥検査を行っておかなければならない。
【０１２７】
このため、記録予定エリアの欠陥検査と記録済みエリアの読取り検査との両方を行う場合においても、撮影が開始された直後においては、図６に示した記録予定エリア検査期間ＴＡ１において、図７を用いて説明した処理を実行することによって、まず、最初の記録動作期間Ｗ１においてデータを記録することになる記録予定エリアの欠陥検査を行う。
【０１２８】
したがって、図６に示した記録予定エリア検査期間の開始点である時点ｐ１においては、この実施の形態のビデオカメラの制御部１００からの制御に応じて、ドライブ制御部６を通じて供給される記録予定エリアの検査要求に応じて、光ディスクドライブ７のマイクロコンピュータ７９は、図７に示す処理を実行し、記録予定エリアの検査要求を受信したことによる実行か否かを判断する（ステップＳ１０１）。
【０１２９】
ステップＳ１０１の判断処理において、記録予定エリアの検査要求を受信したことによる実行であると判断したときには、まだ、２０ＭＢ分のデータの蓄積期間であるので、データの記録処理は行わずに、光ピックアップ７２などを制御して、今度、２０ＭＢ分のデータを記録することになる記録予定エリアにレーザ光を照射し、記録予定エリアの欠陥検査を行うようにする（ステップＳ１０４）。
【０１３０】
そして、マイクロコンピュータ７９は、今度、２０ＭＢ分のデータを記録することになる記録予定エリアに欠陥を発見したか否かを判断し（ステップＳ１０５）、欠陥を発見したと判断したときには、その発見した欠陥部分を使用しないようにする交替処理を実行し（ステップＳ１０６）、この図７に示す処理を終了する。また、ステップＳ１０５の判断処理において、今度、２０ＭＢ分のデータを記録することになる記録予定エリアに欠陥は存在しなかったと判断したときには、交替処理は行わずに、図７に示す処理を終了する。
【０１３１】
ここまでの処理が、図６に示した最初の記録予定エリア検査期間ＴＡ１において行われる処理であって、図７を実行することにより行われる図７に示したステップＳ１０１、ステップＳ１０４、ステップＳ１０５の処理である。もちろん、図７に示したステップＳ１０４、ステップＳ１０５、ステップＳ１０６からなる処理のみを実行するプログラムを形成し、これを記録予定エリア検査期間ＴＡ１において実行するようにしてもよい。
【０１３２】
この後において、図６に示した時点ｔ２、時点ｔ３、時点ｔ４、…のそれぞれ毎に、ドライブ制御部６からの書き込み要求を受信した場合には、図９に示す処理を実行することになる。
【０１３３】
そして、この場合には、光ディスクドライブ７のマイクロコンピュータ７９は、光ディスクドライブ７の各部を制御し、ドライブ制御部６を通じて供給され、Ｉ／Ｆ７６を通じて受け付けたデータを、変調回路７７、ＬＤドライバ７８、光ピックアップ７２を通じて、光ディスクドライブ７に装填されたＤＶＤ７０に記録する処理を行う（ステップＳ３０１）。この場合の書き込みレートは、上述もしたように、２０Ｍｂｐｓであり、２０ＭＢのデータの全部を約７秒間でＤＶＤ７０に記録する。
【０１３４】
そして、マイクロコンピュータ７９は、２０ＭＢ分のデータの記録が完了したか否かを判断し（ステップＳ３０２）、記録が完了していないときには、ステップＳ３０１からの処理を繰り返すようにしてデータのＤＶＤへの記録を続行する。ステップＳ３０２の判断処理において、２０ＭＢ分のデータのＤＶＤへの記録が完了したと判断したときには、上述もしたように、光ピックアップ７２などを制御して、今度（直後の記録動作期間において）２０ＭＢ分のデータを記録することになる記録予定エリアにレーザ光を照射し、記録予定エリアの欠陥検査を行うようにする（ステップＳ３０３）。
【０１３５】
そして、マイクロコンピュータ７９は、今度、２０ＭＢ分のデータを記録することになる記録予定エリアに欠陥を発見したか否かを判断する（ステップＳ３０４）。ステップＳ３０４の判断処理において、欠陥を発見したと判断したときには、その発見した欠陥部分を使用しないようにする交替処理を実行する（ステップＳ３０５）。
【０１３６】
ステップＳ３０５の処理の後、または、ステップＳ３０４の判断処理において、記録予定エリアに欠陥を発見しなかったと判断した場合には、光ディスクドライブ７のマイクロコンピュータ７９は、光ピックアップ７２などを制御して、直前の記録動作期間においてデータを記録したエリアを光ビームで走査して記録されているデータを読み出し、そのエラーを算出するようにして、記録されているデータを適正に読取ることができるか否かの検査を行う（ステップＳ３０６）。
【０１３７】
そして、マイクロコンピュータ７９は、ステップＳ３０６において求めた読取りのエラーレートに基づいて、読取り時のエラーレートが高く、記録状態が悪化しているか否かを判断する（ステップＳ３０７）。ステップＳ３０７の判断処理において、記録状態が悪化していると判断したときには、レーザパワーなどの種々の記録パラメータの補正処理を行ったり、あるいは、ライトキャリブレーション処理を行って、記録パラメータの再設定処理を行ったりする（ステップＳ３０８）。そして、この図９に示す処理を終了する。また、ステップＳ３０７の判断処理において、記録状態は悪化していないと判断したときには、記録パラメータの補正処理などは行うことなく、この図９に示す処理を終了する。
【０１３８】
このように、次に所定量分のデータを記録することになる記録予定エリアの欠陥検査と直前の記録動作期間においてデータを記録した記録済みエリアに記録されているデータの読取り検査との両方を行うことによって、記録予定エリアに欠陥部分が存在する場合には、その部分を避けてデータを記録することができ、また、直前の記録済みエリアからデータが適正に読取れない場合には、記録パラメータの補正処理等を行って、データを適正にＤＶＤに記録することができるようにされる。
【０１３９】
すなわち、記録媒体の欠陥に起因する記録障害を発生させることなくデータを適正に記録することができるとともに、使用環境の影響に起因して記録パラメータにずれが生じた場合にも、迅速にこれを補正し、適正に読み出し（読取り）が可能なように適正な記録パラメータでデータを記録することができる。
【０１４０】
［まとめ］
図４、図７を用いて上述したように、記録予定エリアの欠陥検査を行って、欠陥部分が検出されて、予めデータの記録ができない部分があると判断した場合には、交替領域に記録データを退避するなどのことが可能になる。この場合の欠陥検査の方法は、種々の方法を用いることが可能であるが、基本的に記録に用いるＤＶＤにレーザ光を照射し、その反射光を受光して解析することにより、欠陥部分の位置、範囲を正確に検出することが可能である。
【０１４１】
そして、従来の光ディスクを記録媒体として用いる記録再生装置においては、仮に光ディスクの記録面に欠陥となりえる傷等があった場合、傷がある箇所に対して記録を行った時にエラーとなり、リトライ動作を行うようにしている。しかし、上述した実施の形態のビデオカメラにおいては、記録する光ディスクの状態が分からないといったことを回避し、光ディスクの欠陥に起因するリトライ動作をも行うことがないようにすることができる。
【０１４２】
また、図５、図８を用いて上述したように、ＤＶＤの状態や使用環境等による影響により記録状態が悪化した場合、記録済みエリアの読取り検査を行うことによってこれを検出し、種々の記録パラメータの補正を行うことが可能である。例えば、レーザパワーの補正、種々のサーボ信号の補正、スキュー角の補正など、記録状態の改善に有効な種々のパラメータについて補正を行うことができる。
【０１４３】
そして、従来の光ディスクを記録媒体として用いる記録再生装置においては、何らかの影響により記録されたデータの状態が悪化した場合、光ディスク装置ではサーボ的な問題やデータ転送系の問題が発生しない限り記録動作を続けるが、その記録したデータを再生した時にエラーになってしまう。しかし、この実施の形態のビデオカメラにおいては、このような不都合を回避し、常時、適正に再生可能なようにしてデータをＤＶＤに記録することができるようにされる。
【０１４４】
また、図６、図９を用いて上述したように、記録予定エリアの欠陥検査と、記録済みエリアの読取り検査との両方を行うことによって、記録媒体の欠陥に起因する影響と、記録状態の悪化に起因する影響との双方を回避することができるので、信頼性高くデータの記録を行うことができるようになる。
【０１４５】
なお、使用環境が劣悪になるなどのことがなく、常時良好な使用環境でビデオカメラが使用される場合には、記録予定エリアの欠陥検査のみを行うようにすればよい。また、推奨されたＤＶＤなど、品質の高い記録媒体しか用いない場合には、記録媒体に欠陥などが発生している可能性は極めて低いので、記録済みエリアの読取り検査のみを行うようにすればよい。
【０１４６】
このため、上述した実施の形態のビデオカメラにおいては、操作部１１１を通じて、ユーザーが、記録予定エリアの欠陥検査のみを行うように設定したり、記録済みエリアの読取り検査のみを行うように設定したり、また、その両方を行うように設定したりすることができるようにされている。
【０１４７】
すなわち、操作部１１１を通じて、どのような検査を行うかの選択入力を受けると、これが制御部１００、ドライブ制御部６を通じて光ディスクドライブ７に通知され、これが光ディスクドライブ７のＩ／Ｆ７６を通じて受け付けられ、マイクロコンピュータ７９に供給され、このマイクロコンピュータ７９が、ユーザーの選択指示に応じた検査のみを行うように動作することができるようにしている。
【０１４８】
また、上述した実施の形態のビデオカメラの場合には、記録モードとして、例えば、転送レートをできるだけ低くして、長時間のデータの記録を可能にする長時間記録モード（ＬＰモード）と、転送レートが比較的に低いスタンダードモード（ＳＤモード）と、転送レートが比較的に高いハイクォリティモード（ＨＱモード）とを備えており、これらを操作部１１１を通じてユーザーが選択することができるようにされている。そして、例えば、ＬＰモードやＳＤモードの場合は、転送レートが低い（遅い）ので、データメモリ５Ｘに所定容量分のデータを蓄積するのに必要な時間が、ＨＱモードの場合よりも多くの時間が必要になり、記録停止期間を長く取ることが可能になる。
【０１４９】
そこで、ＬＰモードやＳＤモードの場合には、記録予定エリアの欠陥検査と記録済みエリアの読取り検査との両方を行うようにし、ＨＱモードの時には、記録予定エリアの欠陥検査のみ、あるいは、記録済みエリアの読取り検査のみを行うようにしたりすることができるようにされる。すなわち、記録モードに応じて、ビデオカメラの制御部１００が、記録処理時において実行する検査の内容を自動的に決定し、上述したようにドライブ制御部６を通じて光ディスクドライブ７に通知して、決定した検査を行うように制御することも可能である。
【０１５０】
また、例えば、選択可能な書き込みレートが２倍速、４倍速、８倍速、１６倍速、…のように複数ある場合に、操作部１１１を通じて選択された書き込みレートに応じて、記録処理時に実行する検査内容を決定するようにすることももちろん可能である。また、記録モードに応じた転送レートと選択された書き込みレートとの両方に応じて、記録処理時に置いて行う検査内容を選択することももちろん可能である。
【０１５１】
もちろん、記録処理時において、記録予定エリアの欠陥検査も記録済みエリアの読取り検査も行わないように設定することも可能である。記録処理時に置いて、いずれの検査も行わないようにした場合には、図３を用いて説明した間欠記録動作が行われることになり、消費電力の低減を図ることが可能になる。
【０１５２】
したがって、ビデオカメラの使用状況や撮影対象などに応じて、信頼性よりも長時間の撮影を行うようにした場合には、上述した記録予定エリアの欠陥検査や記録済みエリアの読取り検査は行わないようにして、消費電力の低減を図ることによって長時間の撮影を行うようにすればよい。
【０１５３】
一方、バッテリは十分であるが、記録チャンスを逃した場合に、２度と撮影することができないために、確実に撮影を行うようにしたい場合においては、上述した記録予定エリアの欠陥検査と記録済みエリアの少なくとも一方、好ましくは両方を行うようにすればよい。
【０１５４】
また、記録媒体の欠陥や記録状態の悪化により、データを適正に記録できない場合において、例えば、記録対象のデータが、パーソナルコンピュータのハードディスクやハードディスクレコーダのハードディスクなどに記憶保持されているものであれば、再生エラーを発生させた記録媒体を破棄し、再度、新しいディスクに記録を行うことは可能である。
【０１５５】
しかし、上述した実施の形態のビデオカメラやＤＶＤレコーダーシステムのように、記録データはその記録時点にしか存在しない場合であって、記録するタイミングを逃すことのできないシステムにおいては、上述した実施の形態のように、記録処理時の記録停止期間において、記録予定エリアの欠陥検査と記録済みエリアの読取り検査との一方または両方を行うことにより、重要な情報の記録損じの発生しない、極めて信頼性の高い装置を構成することができる。
【０１５６】
なお、上述した実施の形態のビデオカメラにおいては、記録予定エリアの欠陥検査と記録済みエリアの読取り検査との両方を行う場合には、光ピックアップの移動距離を最小にするために、記録予定エリアの欠陥検査を先に行うものとして説明したが、これに限るものではない。記録済みエリアの読取り検査を先に行うようにすることももちろん可能である。いずれを先に行うかは、ビデオカメラの制御プログラムなどをも考慮して、どちらの検査を先に行うようにするかを決めることが可能である。
【０１５７】
このように、この発明は、消費電力を削減するために光ディスク装置を停止させる期間を利用し、記録した個所の信頼性の確認、もしくは記録予定個所の信頼性を確認することによって、事前に記録状態、もしくは光ディスクの状態を確認し、エラーを発見した場合には、リペア処理や交替処理を行うことにより記録データの信頼性を高めることができるようにしたものである。
【０１５８】
また、上述もしたように、この実施の形態のビデオカメラにおいて、撮影を完了する操作がされた場合には、ドライブ制御部６は、制御部１００の制御に応じて、データメモリ５Ｘに所定量分のデータが蓄積されていなくても、データ制御部５を通じてデータメモリ５Ｘからデータを読み出すようにし、これを光ディスクドライブ７に装填された光ディスクに書き込む処理を行う。
【０１５９】
この場合においても、記録予定エリアの欠陥検査と記録済みエリアの読取り検査との一方または両方を行うようにすることができる。この場合、記録予定エリアの欠陥検査は、少なくとも、データメモリ５Ｘに蓄積された分のデータの記録予定エリアの欠陥検査を行うようにすればよい。もちろん、終端を含むデータであると否とにかかわらず、所定領分のデータの記録が可能な領域を検査するようにしてもよい。
【０１６０】
［その他］
なお、上述した実施の形態においては、説明を簡単にするため、転送レートを１０Ｍｂｐｓ、書き込みレートを２０Ｍｂｐｓ、データメモリの容量を２０ＭＢとして説明したが、これに限るものではない。言うまでもなく、転送レート、書き込みレート、バッファメモリの容量は、種々の値とすることが可能であり、目的とする検査を行うことが可能な時間範囲を有する記録停止期間を設けることができれば、種々の値のレートや容量を用いることが可能である。
【０１６１】
また、上述した実施の形態においては、小型のＤＶＤを記録媒体として用いるビデオカメラにこの発明による装置、方法を適用した場合を例にして説明したが、これに限るものではない。例えば、ＤＶＤ、ブルーレイディスク（Blu-ray Disc）、ＣＤなどの光ディスク、ＭＤなどの光磁気ディスク、ハードディスクなどの磁気ディスクなど、記録可能な種々のディスク記録媒体を用いる記録装置、記録再生装置にこの発明を適用することができる。すなわち、ビデオカメラだけでなく、上述した各種のディスク記録媒体を用いる据え置き型の記録装置、記録再生装置にもこの発明を適用することができる。
【０１６２】
また、少なくとも、記録予定エリアの欠陥検査を行う場合においては、録画処理（記録処理）開始後、最初の記録動作期間Ｗ１の開始までの間に、最初の記録動作期間Ｗ１においてデータの記録を行う記録予定エリアの欠陥検査を行って、この検査が終了していればよく、開始後、最初の記録動作期間Ｗ１の開始までの間の任意のタイミングで、最初の記録動作期間Ｗ１においてデータの記録を行う記録予定エリアの欠陥検査を行うことができる。
【０１６３】
また、上述した実施の形態においては、記録予定エリアの欠陥検査と記録済みエリアの読取り検査とを行う場合、いずれの検査も２０ＭＢ分のデータをＤＶＤに記録した時間分の検査時間が要するものとして説明したが、これに限るものではない。例えば、記録済みエリアの読取り検査については、記録初めの部分と記録終わりの部分だけ検査するようにしたり、記録終わりの部分だけ検査するようにしたり、あるいは、記録の中間部分だけ検査したりすることももちろん可能である。
【０１６４】
また、記録予定エリアの欠陥検査を行い、傷、汚れ、ほこりの付着などが発生している欠陥部分（ディフェクト）の発生箇所を上述したように検出し、その検出数を例えば制御部１００においてカウントするようにする。そして、欠陥部分が所定数以上検出された場合に、警告を出したり、その記録媒体へのデータの記録を中止するようにしたり、その記録予定エリアへはデータの記録を行わないようにして、データの記録エリアを交換するようにしたりするなどのことも可能である。つまり、所定の記録予定エリア単位にディフェクトの数をカウントし、記録媒体全体の使用／不使用を決めたり、あるいは、その記録エリア全体についてデータを記録するか否かを決めたりすることも可能である。
【０１６５】
また、上述した実施の形態においては、データ制御部５、ドライブ制御部６、光ディスクドライブ７のマイクロコンピュータ７９が協働して、記録制御手段としての機能を実現し、また検査手段としての機能を主に光ディスクドライブ７のマイクロコンピュータ７９が実現している。また、光ディスクドライブ７の主にマイクロコンピュータ７９が、非正常部分処理手段、エラー処理手段としての機能を実現するが、ドライブ制御部６や制御部１００と協働してそれらの機能を実現する場合もある。また、操作部１１１が、選択入力受付手段、指示入力受付手段としての機能を実現するが、別途、ユーザーからの走査を受け付けるリモートコマンダからの遠隔操作信号を受信する部分を設け、遠隔操作を可能にすることももちろん可能である。
【図面の簡単な説明】
【０１６６】
【図１】この発明の装置、方法の一実施の形態が適用されたビデオカメラを説明するためのブロック図である。
【図２】図１に示したビデオカメラの光ディスクドライブ７を説明するためのブロック図である。
【図３】図１に示したビデオカメラにおいて行われる間欠記録処理を説明するための図である。
【図４】図１に示したビデオカメラで行われる記録予定エリアの欠陥検査を含む記録処理について説明するための図である。
【図５】図１に示したビデオカメラで行われる記録済みエリアの読取り検査を含む記録処理について説明するための図である。
【図６】図１に示したビデオカメラで行われる記録予定エリアの欠陥検査と記録済みエリアの読取り検査とを含む記録処理について説明するための図である。
【図７】図１に示したビデオカメラで行われる記録予定エリアの欠陥検査を含む記録処理について説明するためのフローチャートである。
【図８】図１に示したビデオカメラで行われる記録済みエリアの読取り検査を含む記録処理について説明するためのフローチャートである。
【図９】図１に示したビデオカメラで行われる記録予定エリアの欠陥検査と記録済みエリアの読取り検査とを含む記録処理について説明するためのフローチャートである。
【符号の説明】
【０１６７】
１…カメラ部、１１…光学ブロック、１２…撮像素子、２…マイクロホン、３…ビデオ／オーディオＩ／Ｆ、３Ｘ…スクリーンメモリ、４…エンコード／デコード部、４Ｘ…Ｅｎｃ／Ｄｅｃメモリ、５…データ制御部、５Ｘ…データメモリ、６…ドライブ制御部、７…光ディスクドライブ、７１…スピンドルモータ、７２…光ピックアップ、７３…サーボ回路、７４…ＲＦ回路、７５…復調回路、７６…Ｉ／Ｆ、７７…変調部、７８…ＬＤ（Laser Diode）ドライブ回路、７９…マイクロコンピュータ、８…スピーカ、９…表示部、９１…ＬＣＤ、９２…ＬＣＤコントローラ、制御部１００、１０１…ＣＰＵ、１０２…プログラムメモリ、１０３…ワークメモリ、１０４…不揮発性メモリ、１０５…システムコントロールバス、１１０…ユーザーＩ／Ｆ部、１１１…操作部、１１２…ＬＥＤ
【図１】
2006139834.tif 000003
【図２】
2006139834.tif 000004
【図３】
2006139834.tif 000005
【図４】
2006139834.tif 000006
【図５】
2006139834.tif 000007
【図６】
2006139834.tif 000008
【図７】
2006139834.tif 000009
【図８】
2006139834.tif 000010
【図９】
2006139834.tif 000011